(57)【要約】【課題】建物の床面に設けた床下点検口や床下収納容器等の開口部の蓋上面に、物を載せた状態のまま開閉可能な開口部の蓋開閉装置を提供する。【解決手段】建物の床面１に開口部２を設け、その開口部２を覆う蓋３が設けられ、その蓋３は床面１と蓋３の上面３ａが上方を向いた状態を保ったまま開口部２と開口部２周縁の床面１との間を移動可能になされた移動手段４により開閉される。【選択図】  図１
2006265926.tif 000002
【特許請求の範囲】
【請求項１】
建物の床面に開口部を設け、その開口部全体を覆う蓋が設けられ、蓋の上面が上方を向いた状態を保ったまま開口部と開口部に隣接した床面上部との間を移動可能になされた移動手段により開閉されることを特徴とする床面開口部の蓋開閉装置。
【請求項２】
前記移動手段が、２本のアームを略平行に離間配置し、それぞれの一端部を蓋の裏面に軸支し、それぞれの他端部を開口部内部の周縁部近傍に軸支されてなることを特徴とする請求項１記載の床面開口部の蓋開閉装置。
【請求項３】
前記蓋の下面に脚部が設けられ、蓋が開口部に隣接した床面上部に移動した際に前記脚部が開口部周縁の床面に接地されることを特徴とする請求項１又は請求項２記載の床面開口部の蓋開閉装置。
【請求項４】
前記移動手段に常に蓋を開く方向に力が作用し、開閉速度を調整可能な開閉速度調整装置が設けられていることを特徴とする請求項１乃至請求項３のいずれかに記載の床面開口部の蓋開閉装置。
【発明の詳細な説明】
【技術分野】
【０００１】
本発明は、建物の床面に設けた床下点検口や床下収納庫などの床面開口部の蓋開閉装置に関する。
【背景技術】
【０００２】
従来の床面開口部の蓋としては、図３のように床面３１に設けられた開口部３２の蓋３３の一辺を支点として回動させることで開閉する手段が多く用いられている。その他の開閉手段としては、特許文献１記載の発明のように、床面に開口部が設けられ、床面を覆う蓋の開閉手段として、リンク機構を使用して蓋を２つに折り畳むことにより開閉を行う手段が提案されている。
【特許文献１】実公平７−３８６２０号公報
【発明の開示】
【発明が解決しようとする課題】
【０００３】
しかし、上記のような床下収納庫の蓋の開閉手段は、開口部の蓋の上面に物を載せた状態のままでは、蓋の開閉を行うことができない。これは従来の床下収納庫の蓋が、いずれも開閉時に床面に対して蓋が回転する動きを伴うため、蓋の上面に物を載せていると開閉途中で物が落下してしまうためである。よって、開閉を行う際にはわざわざ開口部の蓋の上面を片付けた状態にしてからでないと蓋の開閉を行うことができないといった課題があった。
【０００４】
そこで、本発明の目的は、開口部の蓋上面に物を載せた状態のままであっても、蓋の開閉が可能な蓋開閉装置を提供することである。
【課題を解決するための手段】
【０００５】
本発明は上記目的を達成するためになされたものであり、請求項１記載の発明は、建物の床面に開口部を設け、その開口部全体を覆う蓋が設けられ、蓋の上面が上方を向いた状態を保ったまま開口部と開口部に隣接した床面上部との間を移動可能になされた移動手段により開閉されることを特徴とする床面開口部の蓋開閉装置である。
【０００６】
床面に設ける開口部については、例えば、床下点検口として使用する場合は、人が侵入することが可能な大きさに設けるとよい。また、床下収納庫として使用する際は、床下内部の収納物が取り出し可能な大きさに設けるとよい。なお、開口部の形状などについては特に限定されない。
【０００７】
また、蓋については開口部の全体を覆う大きさで設けられるが、単独で覆うものであっても、複数枚で覆うものであってもよい。なお、蓋を閉めた際には、蓋の上面が床面を兼ねた構成とする場合、閉めた際に床面との段差がない構成とすることが好ましい。
【０００８】
蓋の上面が上方を向いた状態を保ったままとは、具体的には、蓋の上面が床面に対して略平行な状態を保ったまま移動可能とされることが、本発明の目的である蓋上面に物を載せたままで開閉できる状態になるため好ましい。
【０００９】
また、蓋が開口部と開口部に隣接した床面上部との間を移動可能になされることにより、蓋を開けた際に開口部の上方が開放され、例えば、床下点検口として使用した場合は床下内部に入り易く、床下収納庫として使用した場合は収納物が出し入れし易くなる。また、地下室や上下階との出入り口として使用した場合にも、人が出入りし易くなる。
【００１０】
また、蓋の移動経路については、蓋の上面が上方を向いた状態を保ったままであれば、例えば、開口部から開口部に隣接した床面上部に円弧を描くように移動してもよいし、一旦開口部上方に鉛直に移動し、床面より上方に達した後に開口部に隣接する床面上部方向に水平に移動してもよい。
また、手動で蓋を移動させる構成でもよいし、電気式や油圧式などにより移動させる構成でもあってもよい。
【００１１】
請求項１記載の発明により、蓋の上面に物を載せた状態のままであっても、物を落下させることなく開口部の蓋の開閉ができる。よって、蓋を開閉する際に蓋の上面の物を移動するなどの片付け作業を行わなくてもよい。
【００１２】
請求項２記載の発明は、請求項１記載の床下開口部の蓋開閉装置であって、前記移動手段が、２本のアームを略平行に離間配置し、それぞれの一端部を蓋の裏面に軸支し、それぞれの他端部を開口部内部の周縁部近傍に軸支されてなることを特徴とする。
【００１３】
２本のアームが略平行に一定の離間距離をあけて配置され、そのアームのそれぞれの一端部が蓋の裏面に、他端部が開口部の内部の周縁部近傍に軸支されることにより蓋の上面が上方を向いた状態を保ったまま移動できる。なお、蓋の裏面及び開口部の内部の周縁部近傍に軸支する際はアングル等を設けて軸支することが取り付けし易く好ましい。また、軸支される位置は、開口部の内部の周縁部近傍であればよく、周縁部に密着している必要はない。なお、この移動手段を単独で用いてもよいし、複数用いて床下開口部の蓋開閉装置を構成してもよい。
【００１４】
請求項３記載の発明は、請求項１又は請求項２記載の床面開口部の蓋開閉装置であって、前記蓋の下面に脚部が設けられ、蓋が開口部に隣接した床面上部に移動した際に前記脚部が開口部周縁の床面に接地されることを特徴とする。
【００１５】
蓋の下面に設けられる脚部としては、例えば、複数の脚部を設ける場合は、同一長さの脚部で構成することが、脚部が床面に同時に接地し、接地した際に蓋の上面が床面と略平行な状態で安定するので好ましい。また、床下収納庫の蓋として使用する際などには、脚部は蓋の裏面の中心部を避けて、蓋の端部に離間配置する構成とすることが、脚部が床下収納庫内部への収納を妨げることがなく好ましい。
【００１６】
請求項３記載の発明では、蓋の下面に設けられた脚部により、蓋と開口部周縁の床面との間に、脚部の高さ分の空間が構成される。この空間の存在により、蓋が床面に接地しないので、開口部に隣接した床面に小物があっても蓋を開けることができる。また、脚部を座卓と同程度の長さにすることで、蓋の上面を座卓の天板として使用することもできる。
【００１７】
請求項４の発明は、請求項１乃至請求項３のいずれかに記載の床面開口部の蓋開閉装置であって、前記移動手段に常に蓋を開く方向に力が作用し、開閉速度を調整可能な開閉速度調整装置が設けられていることを特徴とする。
【００１８】
開閉速度調整装置としては、例えば、スプリング、油圧、粘性流体などを使用して開閉速度の調整が可能な装置が使用できる。なお、作用する力は蓋の重さより少し小さい程度とすることが、作用する力で蓋が飛び出すことがなく好ましい。また、常に蓋を開く方向に力が作用する構成になされることで、開く際には開く方向に力が作用し開けやすく、閉める際には開く方向に力が作用し勢いよく蓋が閉まることがない。なお、開閉速度調整装置としてドア上部などに使用されているドアクローザーのような機構を用いてもよい。
【００１９】
請求項４記載の発明では、蓋を開ける際に少ない力で開くことができ、また蓋を閉める際に蓋と開口部との間に誤って指を詰めることなども防止することができる。
【発明の効果】
【００２０】
請求項１記載の発明では、床面に設けた開口部の蓋の上面に物を載せた状態のままであっても、物を落下させることなく開閉することができる。よって、蓋を開ける際に蓋上面の物をわざわざ移動させる必要がない。
請求項２記載の発明では、２本のアームを略平行に設け、それぞれの端部を蓋及び開口部内部の周縁近傍に軸支するといった簡易な構成で、請求項１記載の発明にある蓋の上面が上方を向いた状態を保ったまま移動させる構成を得ることができる。
請求項３記載の発明では、蓋の下面と開口部に隣接した床面上部との間に、脚部の高さ分の逃げ空間ができ、開口部に隣接した床面上部に脚部の高さ以内の小物があっても、蓋の開閉の妨げにならない。
請求項４記載の発明では、蓋を少ない力で開くことができ、また、蓋を閉める際に蓋と開口部との間に誤って指を詰めることなどを防止することができる。
【発明を実施するための最良の形態】
【００２１】
以下、本発明の実施の形態を図面に基づいて説明する。
【実施例１】
【００２２】
図１乃至図２は本発明の床面開口部の蓋開閉装置を床下収納庫の蓋として使用した模式図であり、図１は床面開口部の蓋開閉装置の断面模式図、図２は床面開口部の蓋開閉装置の開閉途中位置での断面模式図を示す。
【００２３】
本実施例の床面開口部の蓋開口装置Ａは、建物の床面１に開口部２を設け、その開口部２を覆う蓋３が設けられ、その蓋３は床面１と蓋３の上面３ａが上方を向いた状態を保ったまま開口部２と開口部２に隣接した床面１の上部との間を移動可能になされた移動手段４で構成されている。
【００２４】
また、前記移動手段４は、２本のアーム８、９を略平行に離間配置し、それぞれの一端部を蓋３の裏面に軸支し、それぞれの他端部を開口部２内部の周縁部近傍に軸支されている。
【００２５】
また、蓋３の下面３ｂには脚部５が設けられ、蓋３が開口部２に隣接した床面１上部に移動した際に脚部５が開口部２に隣接した床面１上部に接地されるようになっている。
【００２６】
また、移動手段４には常に蓋を開く方向に力が作用し、開閉速度を調整可能な開閉速度調整装置６が設けられている。
【００２７】
建物の床面１は、床梁１４の上部に床根太１５を離間配置し、その隙間に図示しない断熱材を敷き、床根太１５の上部に床板を敷いて構成されている。また、この建物の基礎立ち上がり部分にも断熱材が設けられており、いわゆる基礎断熱構造となっており床下と床上の温度差が小さい建物となっている。
【００２８】
床面１には、約９００ｍｍ×９００ｍｍの正方形の開口部２が設けられている。開口部２には、全体を１枚で覆う蓋３が設けられている。蓋３が閉められた際には、蓋３上面３ａと床面１の上面との段差がないように、蓋受け材１３により蓋３が支持され、床面１の高さに調整されている。なお、蓋の端部には開閉時に使用する把手１６が設けられている。
【００２９】
蓋３には、蓋３の上面３ａが上方を向いた状態を保ったまま開口部２と開口部２に隣接した床面１との間を移動可能になされた移動手段４が設けられている。この移動手段４は、アーム８、アーム９、及び開閉速度調整装置６などにより構成されている。なお、移動手段４は蓋３の周縁部の両側に１個づつ設けられている。
【００３０】
図１に示すようにアーム８の一端は、蓋３の裏面３ｂに固定されたアングル１０の軸部１０ａに軸支されている。また、アーム８の他端は、開口部２内部の周縁部近傍に設けられたアングル１１の軸部１１ａに軸支されている。アーム８は軸部１１ａに軸支されることにより、軸部１１ａを支点にして回動が可能となっている。なお、アーム８は、アングル１１の開口部３の周縁部に近い位置にある軸部１１ａを支点として回動するため、開閉移動の際に床面と接触することがないように途中で曲げ部を有するクランク形状となっている。
【００３１】
図１に示すようにアーム９は蓋３の裏面３ｂの周縁部に近い位置に固定されたアングル１２の軸部１２ａに軸支されている。アーム９の他端は、開口部２内部の周縁部近傍に設けられたアングル１１の開口部中心よりにある軸部１１ｂ軸支されている。アーム９は軸部１１ｂに軸支されることにより、軸部１１ｂを支点にして回動が可能となっている。
【００３２】
アーム８とアーム９は、略平行に配置され、蓋３を通して連結されている。したがって、アーム８の移動に応じてアーム９は連動して移動する。その際、蓋３の上面３ａが床面１と略平行な状態を保ったまま移動し、アーム８とアーム９が軸部１０ａと軸部１２ａを支点に回動する。
【００３３】
軸部１１ａには、開閉速度調整装置６が備えられている。開閉速度調整装置６は内部に図示しないスプリングが内蔵されており、蓋３が開く方向に常に蓋の重さより少し小さい程度の力が作用するようになっている。よって、開く際には開く方向に力が作用し開けやすく、閉める際には開く方向に力が作用し勢いよく蓋が閉まることがない。
【００３４】
蓋３の裏面３ｂの四隅部分には脚部５がそれぞれ固定されている。脚部５の高さはそれぞれ等しく約３００ｍｍ程度となっている。
【００３５】
開口部２の床下内部には、開口部２と略同一の大きさの収納容器７が設けられている。収納容器７は上方が開放した箱型形状となっており、開口部２より物の収納が可能な構成となっている。
【００３６】
次に、本実施例の床面開口部の蓋開閉装置Ａの使い方を説明する。
蓋３を開く際には、開閉用の把手１６をつかみ、上方に持ち上げる。開閉速度調整装置６の働きにより開く方向に力が作用しているため、大きな力をかけずに簡単に蓋３を開くことができる。蓋３はアーム８及びアーム９の回転軌道８１、９１に沿って、図１のＢ１からＢ３まで、途中で図２のＢ２の位置を通過しながら移動する。なお、この際蓋３の上面３ａは床面１と略平行な状態を保ったまま移動する。よって、蓋３の上面３ａに小物Ｃ１が載っている状態であっても、小物Ｃ１が落下することなく開くことができる。また、蓋３が図１のＢ３の位置に至った際には脚部５が床面１に接地するため、蓋３と床面１の間には脚部５の高さ分の逃げ空間ができる。よって、図１のように小物Ｃ２が床面１上にあっても蓋３を開くことができる。また、脚部５の高さが約３００ｍｍ程度としているため、蓋３の上面３ａを座卓の天板としても使用することができる。
【００３７】
蓋３を閉める際には、開閉用の把手１６をつかみ、上方に持ち上げる。蓋３を、アーム８及びアーム９の回転軌道８１、９１に沿って、図１のＢ３からＢ１まで、途中で図２のＢ２の位置を通過しながら移動させる。この際、開閉速度調整装置６の働きにより開く方向に力が作用しているため、蓋３が勢いよく閉まることはなく、開口部２と蓋３の間で指を詰めることも防止できる。なお、蓋３の上面３ａは床面１と略平行な状態を保ったまま移動する。よって、小物Ｃ１が載っている状態であっても、小物Ｃ１が落下することなく閉めることができる。
【００３８】
本実施例の床面開口部の蓋開閉装置Ａによれば、蓋３の上面３ａに物を載せた状態のままであっても、物を落下させることなく開口部２の蓋３の開閉ができる。よって、蓋３を開閉する際に蓋３の上面３ａにある物を移動するなどの片付け作業を行わなくてもよい。また、開口部２周縁の床面上部に小物がある状態であっても脚部５より低いものであれば蓋３を開けること際に邪魔にならない。また、脚部５を座卓と同程度の長さにすることで、蓋３の上面３ａを座卓の天板として使用することもできる。また、開閉速度調整装置６により蓋３を開く際に、少ない力で行うことができ、蓋３を閉める際には、蓋３と開口部２との間に誤って指を詰めることも防止することができる。
【００３９】
以上、本発明の実施例を説明したが、本発明は上記実施例に限定されるものではなく、本発明の要旨を逸脱しない範囲の設計変更があっても本発明に含まれるのは勿論である。例えば、床下点検口、地下室出入り口、上下階出入り口などとして使用してもよい。
【産業上の利用可能性】
【００４０】
建物の床面に設ける、床下点検口や床下収納庫などの開口部の蓋開閉装置として有効である。
【図面の簡単な説明】
【００４１】
【図１】本発明の床面開口部の蓋開閉装置Ａの開閉時の断面模式図である。
【図２】本発明の床面開口部の蓋開閉装置Ａの開閉途中位置での断面模式図である。
【図３】従来の床面開口部の蓋開閉装置の断面図である。
【符号の説明】
【００４２】
Ａ            床面開口部の蓋開閉装置
Ｂ１          床面開口部の蓋開閉装置を閉めた状態
Ｂ２          床面開口部の蓋開閉装置の開閉移動途中の状態
Ｂ３          床面開口部の蓋開閉装置を開けた状態
Ｃ１          小物
Ｃ２          小物
１            床面
２            開口部
３            蓋
３ａ          蓋の上面
３ｂ          蓋の裏面
４            移動手段
５            脚部
６            開閉速度調整装置
７            収納容器
８            アーム
９            アーム
１０            アングル
１０ａ          軸部
１１            アングル
１１ａ、１１ｂ  軸部
１２            アングル
１２ａ          軸部
１３            蓋受け材
１４            床梁
１５            床根太
１６            把手
【図１】
2006265926.tif 000003
【図２】
2006265926.tif 000004
【図３】
2006265926.tif 000005